(57)【特許請求の範囲】
【請求項１】
左右のシューズのうち、一方のシューズの靴底において、第一趾及び第二趾の爪先に対応する部位を、幅方向内側の内側領域と幅方向外側の外側領域に区分したときに、前記内側領域にスパイク鋲を配置し、前記外側領域にはスパイク鋲を配置せず、
他方のシューズの靴底において、第一趾及び第二趾の爪先に対応する部位を、幅方向内側の内側領域と幅方向外側の外側領域に区分したときに、前記外側領域にスパイク鋲を配置し、前記内側領域にはスパイク鋲を配置せず、
前記一方のシューズの靴底においては、前記内側領域に配置されたスパイク鋲に追加して第二中節骨に対応する部位にスパイク鋲を配置し、
前記他方のシューズの靴底においては、前記外側領域に配置されたスパイク鋲に追加して前記第二中節骨に対応する部位にスパイク鋲を配置しないことを特徴とするゴルフシューズ。
【請求項２】
請求項１に記載のゴルフシューズであって、
シューズの靴底において、踵骨に対応する部位を、前後方向後側かつ幅方向内側の第一領域と、前後方向後側かつ幅方向外側の第二領域と、前後方向前側かつ幅方向外側の第三領域と、前後方向前側かつ幅方向内側の第四領域に区分したときに、前記第一領域乃至前記第三領域にスパイク鋲を配置し、前記第四領域にはスパイク鋲を配置しないことを特徴とするゴルフシューズ。
【発明の詳細な説明】
【技術分野】
【０００１】
本発明は、ゴルフシューズに関する。
【背景技術】
【０００２】
芝生等を十分にグリップして安定したスイングを行なえるようにするため、靴底に複数のスパイク鋲を備えたゴルフシューズが知られている（たとえば、特許文献１）。
【先行技術文献】
【特許文献】
【０００３】
【特許文献１】特開平１１−２７６２１１号公報
【発明の概要】
【発明が解決しようとする課題】
【０００４】
このようなゴルフシューズでは、スイング時に足の各部位にかかる垂直力、せん断力、回転力、及び足圧等を計測することは難しかった。このため、これらの力が複合的に足に加わった場合を想定してスパイク鋲の配置がなされていなかった。その結果、かかるゴルフシューズでは、十分なグリップ力や安定性を得ることができなかった。
【０００５】
本発明は、このような事情に鑑みてなされたものであり、その目的とするところは、スイングの状態に応じて各部位にかかる力に対応させてスパイク鋲を適切に配置し、シューズの機能を高めることにある。
【課題を解決するための手段】
【０００６】
上記目的を達成するための主たる発明は、
左右のシューズのうち、一方のシューズの靴底において、第一趾及び第二趾の爪先に対応する部位を、幅方向内側の内側領域と幅方向外側の外側領域に区分したときに、前記内側領域にスパイク鋲を配置し、前記外側領域にはスパイク鋲を配置せず、
他方のシューズの靴底において、第一趾及び第二趾の爪先に対応する部位を、幅方向内側の内側領域と幅方向外側の外側領域に区分したときに、前記外側領域にスパイク鋲を配置し、前記内側領域にはスパイク鋲を配置せず、
前記一方のシューズの靴底においては、前記内側領域に配置されたスパイク鋲に追加して第二中節骨に対応する部位にスパイク鋲を配置し、
前記他方のシューズの靴底においては、前記外側領域に配置されたスパイク鋲に追加して前記第二中節骨に対応する部位にスパイク鋲を配置しないことを特徴とするゴルフシューズである。
本発明の他の特徴については、本明細書及び添付図面の記載により明らかにする。
【図面の簡単な説明】
【０００７】
【図１】ゴルフシューズ１の靴底を示す底面図である。
【図２】ゴルフシューズ１に足の骨格構造を重ねた状態を示す平面図である。
【図３】スイング動作時に靴底に力が加わるエリアを示す図である。
【図４】スイング動作時にゴルフシューズ１に加わる力の向き及び回転モーメントの方向を示す図である。
【図５】スパイク鋲の他の構成を説明する図である。
【発明を実施するための形態】
【０００８】
本明細書及び添付図面の記載により、少なくとも、以下の事項が明らかとなる。  
即ち、シューズの靴底において第二中節骨に対応する部位にスパイク鋲を配置したことを特徴とするゴルフシューズである。  
このようなゴルフシューズによれば、第二中節骨に対応する部位にかかる力に対応させてスパイク鋲を適切に配置でき、シューズの機能を高めることができる。特に、スイング動作がトップのときに第二中節骨には、最大の時計回りの回転トルクが生じるが、第二中節骨に対応させてスパイク鋲を配置することで、グリップ力や安定性を向上させることが可能となる。
【０００９】
また、かかるゴルフシューズであって、
左右のシューズのうち、一方のシューズの靴底において第二中節骨に対応する部位にスパイク鋲を配置し、他方のシューズの靴底において第二中節骨に対応する部位にスパイク鋲を配置しないこととしてもよい。  
このようなゴルフシューズによれば、左右の足に加えられる力に応じてスパイク鋲を配置する又は配置しないことにより、左右のシューズそれぞれの機能を高めることができる。
【００１０】
また、かかるゴルフシューズであって、
シューズの靴底において、踵骨に対応する部位を、前後方向後側かつ幅方向内側の第一領域と、前後方向後側かつ幅方向外側の第二領域と、前後方向前側かつ幅方向外側の第三領域と、前後方向前側かつ幅方向内側の第四領域に区分したときに、前記第一領域乃至前記第三領域にスパイク鋲を配置し、前記第四領域にはスパイク鋲を配置しないこととしてもよい。  
このようなゴルフシューズによれば、左右の足に加えられる力に応じてスパイク鋲を配置する又は配置しないことにより、左右のシューズそれぞれの機能を高めることができる。
【００１１】
また、かかるゴルフシューズであって、
前記一方のシューズの靴底において、第一趾及び第二趾の爪先に対応する部位を、幅方向内側の内側領域と幅方向外側の外側領域に区分したときに、前記内側領域にスパイク鋲を配置し、前記外側領域にはスパイク鋲を配置せず、
前記他方のシューズの靴底において、第一趾及び第二趾の爪先に対応する部位を、幅方向内側の内側領域と幅方向外側の外側領域に区分したときに、前記外側領域にスパイク鋲を配置し、前記内側領域にはスパイク鋲を配置しないこととしてもよい。  
このようなゴルフシューズによれば、左右の足に加えられる力に応じてスパイク鋲を配置する又は配置しないことにより、左右のシューズそれぞれの機能を高めることができる。
【００１２】
＝＝＝実施の形態＝＝＝
＜＜＜ゴルフシューズ１の構成について＞＞＞
本発明の一実施形態であるゴルフシューズ１の構成例について、図１を用いて説明する。図１は、ゴルフシューズ１の靴底を示す底面図である。
【００１３】
ゴルフシューズ１は、図１に示すように、右足用シューズ１Ｒ及び左足用シューズ１Ｌからなる。そして、右足用シューズ１Ｒは靴底１０Ｒに複数のスパイク鋲２１Ｒ〜２９Ｒを有しており、左足用シューズ１Ｌは靴底１０Ｌに複数のスパイク鋲２１Ｌ〜２８Ｌを有している。各スパイク鋲は、シューズの靴底から突出して設けられており、芝生等に圧接することによってグリップ力や安定性を向上させることができる。
【００１４】
具体的には、本実施形態におけるゴルフシューズ１の靴底１０Ｒ、１０Ｌには、図１及び図２に示すように、第一趾及び第二趾の爪先に対応する部位に爪先部１１Ｒ、１１Ｌと、中節骨及び中足骨周辺に対応する部位に踏み付け部１２Ｒ、１２Ｌと、踵骨に対応する部位に踵部１３Ｒ、１３Ｌと、を有している。
【００１５】
そして、本実施形態における右足用シューズ１Ｒは、図１に示すように、爪先部１１Ｒに１つのスパイク鋲２１Ｒを有し、踏み付け部１２Ｒに５つのスパイク鋲２２Ｒ〜２５Ｒ、２９Ｒを有し、踵部１３Ｒに３つのスパイク鋲２６Ｒ〜２８Ｒを有している。
【００１６】
一方で、本実施形態における左足用シューズ１Ｌは、図１に示すように、爪先部１１Ｌに１つのスパイク鋲２１Ｌを有し、踏み付け部１２Ｌに４つのスパイク鋲２２Ｌ〜２５Ｌを有し、踵部１３Ｌに３つのスパイク鋲２６Ｌ〜２８Ｌを有している。
【００１７】
このように、右足用シューズ１Ｒは合計９個のスパイク鋲を備えている一方で、左足用シューズ１Ｌは合計８個のスパイク鋲を備えていることから、スパイク鋲の個数は左右のシューズによって異なることがわかる。
【００１８】
これは、左右の足が３軸方向から受ける力を検知するセンサー、左右の足が受ける回転力を検知するセンサー、及び足底圧力センサー等を用いて、スイングの状態に応じて左右の足にかかる力を計測し、左右のシューズそれぞれに適した位置を割り出すことにより、スパイク鋲を配置した結果によるものである。以下、スパイク鋲の配置について、具体的に説明する。
【００１９】
＜＜＜スパイク鋲の配置について＞＞＞
次に、ゴルフシューズ１の靴底におけるスパイク鋲の配置について、図１乃至図４を用いて説明する。図２は、ゴルフシューズ１に足の骨格構造を重ねた状態を示す平面図である。図３は、スイング動作時に靴底に力が加わるエリアを示す図である。図４は、スイング動作時にゴルフシューズ１に加わる力の向き及び回転モーメントの向きを示す図である。なお、図４Ａは、テイクバックからトップにかけて、右足用シューズ１Ｒに加わるせん断力の向き及び回転モーメントの向き、スパイク鋲２６Ｒ〜２９Ｒにかかるせん断力の向きを示している。図４Ｂは、ダウンスイング時に、右足用シューズ１Ｒに加わるせん断力の向き及び回転モーメントの向き、スパイク鋲２１Ｒ、２９Ｒにかかるせん断力の向きを示している。図４Ｃは、後述する後半フェーズのときに、左足用シューズ１Ｌに加わる力の向き及び回転モーメントの向き、スパイク鋲２１Ｌ、２６Ｒ〜２８Ｒにかかるせん断力の向きを示している。
【００２０】
本実施形態におけるスパイク鋲の配置は、左右のシューズそれぞれについて、スパイク鋲が垂直方向に受ける力（垂直力）及び水平方向に受ける力（せん断力）や、スイングの際の捻転動作によって左右の足が受ける垂直力及び回転モーメント（トルク）や、左右の足底に加わる圧力を、スイングの状態ごとに各種センサーを用いて計測し、この計測データに基づき評価・解析することにより、決定されている。
【００２１】
ここで、スイングの状態を前半フェーズと後半フェーズの２つに分け、アドレスから、テイクバック、トップまでの一連のスイング動作のことを前半フェーズと呼び、トップから、ダウンスイング、インパクト、フォローまでの一連のスイング動作のことを後半フェーズと呼ぶこととする。
【００２２】
この計測データにより、前半フェーズにおいては、第一エリア（図３の上図参照）により示されているとおり、右足用シューズ１Ｒの爪先部１１Ｒ及び踏み付け部１２Ｒに垂直力が作用し、踵部１３Ｒに上半身の捻転動作による時計回りの回転モーメントに耐えようとする反力が作用し、かつ、左足用シューズ１Ｌの内側に垂直力が作用することが明らかとなった。
【００２３】
このように、この第一エリアに沿ってスパイク鋲を配置すれば、右足に体重をしっかり乗せることができ、かつ、上半身の捻転動作による回転モーメントにも耐えることができるため、前半フェーズにおいて左右の足にかかる力に応じたグリップ力や安定性を向上させることができる。
【００２４】
一方、後半フェーズにおいては、第二エリア（図３の下図参照）により示されているとおり、左足用シューズ１Ｌの外側に垂直力と外側方向へのせん断力が作用し、踵部１３Ｌに反時計回りの回転モーメントに耐えようとする反力が作用し、かつ、右足用シューズ１Ｒの踏み付け部１２Ｒに蹴り出し動作による垂直力が作用することが明らかとなった。
【００２５】
このように、かかる第二エリアに沿ってスパイク鋲を配置すれば、体重移動を支えてしっかりと壁を作ることができ、かつ、上半身の捻転動作による回転モーメントにも耐えることができるため、後半フェーズにおいて左右の足にかかる力に応じたグリップ力や安定性を向上させることができる。
【００２６】
そこで、本実施形態におけるゴルフシューズ１は、図３に示すように、計測結果に基づく各エリアに対応させてスパイク鋲を配置することによって、左右のシューズそれぞれの機能を高めることを可能とした。すなわち、この配置によってグリップ力や安定性を向上させることができるため、アドレスからトップまでの体重移動をスムーズに移行させてエネルギーを蓄積させることができると共に、トップからダウンスイング、フォローまでの激しい動きを伴う体重移動を支えつつ蓄積したエネルギーをロスなくゴルフボールに伝えることが可能となり、ひいては、ゴルフボールの飛距離をアップさせることが可能となる。
【００２７】
以下では、靴底の各部位（踏み付け部、踵部、爪先部）ごとに、左右のシューズそれぞれのスパイク鋲の配置について詳述する。
【００２８】
＜踏み付け部について＞
上述したように、右足用シューズ１Ｒの踏み付け部１２Ｒには、５つのスパイク鋲２２Ｒ〜２５Ｒ、２９Ｒが配置され、左足用シューズ１Ｌの踏み付け部１２Ｌには、４つのスパイク鋲２２Ｌ〜２５Ｌが配置されている。
【００２９】
具体的には、右足用シューズ１Ｒの踏み付け部１２Ｒには、図１に示すように、スパイク鋲２９Ｒと、スパイク鋲２９Ｒに対し前後方向後側かつ幅方向内側の位置にスパイク鋲２２Ｒと、スパイク鋲２９Ｒに対し前後方向後側かつ幅方向外側の位置にスパイク鋲２３Ｒと、スパイク鋲２３Ｒに対し前後方向後側の位置にスパイク鋲２４Ｒと、スパイク鋲２２Ｒに対し前後方向後側の位置にスパイク鋲２５Ｒと、が配置されている。そして、スパイク鋲２９Ｒは、図２に示すように、着用時の第二中節骨４２Ｒ（人差指）に対応する部位に配置されている。
【００３０】
このようにスパイク鋲２９Ｒを配置したのは、計測データを解析した結果、図４Ａに示すように、スイング動作がトップのときに右足には時計回り（外側方向へ）に最大の回転トルクが生じ、この力に対抗すべく第二中節骨４２Ｒに対応する部位に大きな力がかかることとなり、この位置に対応させてスパイク鋲２９Ｒを配置すれば、グリップ力と安定性を向上させることが可能となるからである。
【００３１】
また、スパイク鋲２９Ｒ、スパイク鋲２２Ｒ、スパイク鋲２３Ｒは、各自の位置を頂点として、三角形状をなすように配置されている。これらを三角形状に配置することによってグリップ力をさらに高めることができるため、ダウンスイングのときに右足は前後方向後側へ移動しようとする傾向があるが（図４Ｂ参照）、この移動により生じる力に対してより強く対抗することが可能となる。
【００３２】
以上のとおり、スパイク鋲２９Ｒは、右足用シューズ１Ｒのみに存在するものであり、右足のグリップ力と安定性を向上させるため特に重要な役割を果たしている。
【００３３】
一方で、左足用シューズ１Ｌの踏み付け部１２Ｌには、図１に示すように、幅方向内側にスパイク鋲２２Ｌ、２５Ｌが前後方向に並べられ、幅方向外側にスパイク鋲２３Ｌ、２４Ｌが前後方向に並べられて配置されている。そして、図２に示すとおり、右足用シューズ１Ｒの踏み付け部１２Ｒと比較すれば明らかであるが、左足用シューズ１Ｌの踏み付け部１２Ｌには、着用時の第二中節骨４２Ｌ（人差指）に対応する部位にスパイク鋲が配置されていない。
【００３４】
これは、計測データによれば、左足の場合には第二中節骨４２Ｌに対応する部位にはほとんど力がかからず、この位置にスパイク鋲を配置しないことで、軽量化を図ることができるからである。
【００３５】
以上のように、スイングの状態に応じて左右足の踏み込み部１２Ｒ、１２Ｌにかかる力に対応させて必要最小限のスパイク鋲を最適位置のみに配置することで、左右のシューズそれぞれの機能を高めることが可能となる。
【００３６】
＜踵部について＞
上述したように、右足用シューズ１Ｒの踵部１３Ｒには、３つのスパイク鋲２６Ｒ〜２８Ｒが配置され、左足用シューズ１Ｌの踵部１３Ｌには、３つのスパイク鋲２６Ｌ〜２８Ｌが配置されている。
【００３７】
具体的には、先ず、右足用シューズ１Ｒの踵部１３Ｒには、図１に示すように、当該踵部１３Ｒを、踵骨４３Ｒの中央を基準として、前後方向後側かつ幅方向内側の第一領域１３Ｒ１と、前後方向後側かつ幅方向外側の第二領域１３Ｒ２と、前後方向前側かつ幅方向外側の第三領域１３Ｒ３と、前後方向前側かつ幅方向内側の第四領域１３Ｒ４に区分したときに、第一領域１３Ｒ１内にスパイク鋲２６Ｒ、第二領域１３Ｒ２内にスパイク鋲２８Ｒ、第三領域１３Ｒ３内にスパイク鋲２７Ｒ、が配置されている。
【００３８】
このように配置したのは、計測データを解析した結果、図４Ａに示すように、テイクバックからトップにかけて、右足に時計回り（外側方向へ）に大きな回転トルクが生じ、かつ、体重が前後方向後側へ移動するので、この力に対抗すべく踵部１３Ｒの第一領域１３Ｒ１〜第三領域１３Ｒ３に大きな力がかかることとなり、この位置に対応させてスパイク鋲２６Ｒ〜２８Ｒを配置すれば、グリップ力と安定性を向上させることが可能となるからである。  
一方で、右足用シューズ１Ｒの踵部１３Ｒの第四領域１３Ｒ４には、スパイク鋲が配置されていない。
【００３９】
これは、計測データによれば、テイクバックからトップにかけて右足には時計回り（外側方向へ）に回転トルクが生じるため、右足の踵骨４３Ｒの内側部位（第四領域１３Ｒ４に対応する部位）にはほとんど力がかからず、この位置にスパイク鋲を配置しないことで、軽量化を図ることができるからである。
【００４０】
次に、左足用シューズ１Ｌの踵部１３Ｌには、図１に示すように、当該踵部１３Ｌを、踵骨４３Ｌの中央を基準として、前後方向後側かつ幅方向内側の第一領域１３Ｌ１と、前後方向後側かつ幅方向外側の第二領域１３Ｌ２と、前後方向前側かつ幅方向外側の第三領域１３Ｌ３と、前後方向前側かつ幅方向内側の第四領域１３Ｌ４に区分したときに、第一領域１３Ｌ１内にスパイク鋲２６Ｌ、第二領域１３Ｌ２内にスパイク鋲２８Ｌ、第三領域１３Ｌ３内にスパイク鋲２７Ｌ、が配置されている。
【００４１】
このように配置したのは、計測データを解析した結果、図４Ｃに示すように、スイング状態がダウンスイングのときに左足には幅方向内側から外側へ向けて大きな力がかかり、さらにスイング動作がフォロー後のフィニッシュのときに左足には反時計回り（外側方向へ）に回転トルクが生じ、かつ、体重が幅方向内側から外側へ移動するので、踵部１３Ｌの第一領域１３Ｌ１〜第三領域１３Ｌ３に大きな力がかかることとなり、この位置に対応させてスパイク鋲２６Ｌ〜２８Ｌを配置すれば、グリップ力と安定性を向上させることが可能となるからである。  
一方で、左足用シューズ１Ｌの踵部１３Ｌの第四領域１３Ｌ４には、スパイク鋲が配置されていない。
【００４２】
これは、計測データによれば、ダウンスイングからフィニッシュにかけて左足には反時計回り（外側方向へ）に回転トルクが生じるため、左足の踵骨４３Ｌの内側部位（第四領域１３Ｌ４に対応する部位）にはほとんど力がかからず、この位置にスパイク鋲を配置しないことで、軽量化を図ることができるからである。
【００４３】
以上のように、スイングの状態に応じて左右足の踵部１３Ｒ、１３Ｌにかかる力に対応させて必要最小限のスパイク鋲を最適位置のみに配置することで、左右のシューズそれぞれの機能を高めることが可能となる。
【００４４】
＜爪先部について＞
上述したように、右足用シューズ１Ｒの爪先部１１Ｒには、１つのスパイク鋲２１Ｒが配置され、左足用シューズ１Ｌの爪先部１１Ｌには、１つのスパイク鋲２１Ｌが配置されている。
【００４５】
具体的には、先ず、右足用シューズ１Ｒの爪先部１１Ｒには、図１に示すように、当該爪先部１１Ｒを幅方向内側の内側領域１１Ｒｉと幅方向外側の外側領域１１Ｒｏに区分したときに、内側領域１１Ｒｉにスパイク鋲２１Ｒが配置されているが、外側領域１１Ｒｏにはスパイク鋲を配置されていない。
【００４６】
このような配置にしたのは、計測データを解析した結果、図４Ａ及び図４Ｂに示すように、テイクバック、トップおよびダウンスイングのときに右足に回転トルクが生じ、この力を支持すべく右足の第一趾（親指）先端に垂直力がかかることとなり、特に、切り返しのときに（トップを境にテイクバックからダウンスイングへと切り替わるときに）、右足には大きな回転トルクが生じ、この力を支持すべく右足の第一趾（親指）先端に大きな垂直力がかかることとなるため、右足の第一趾先端に対応する部位にスパイク鋲２１Ｒを配置することにより、グリップ力と安定性を向上させることが可能となるからである。
【００４７】
次に、左足用シューズ１Ｌの爪先部１１Ｌには、図１に示すように、当該爪先部１１Ｌを幅方向内側の内側領域１１Ｌｉと幅方向外側の外側領域１１Ｌｏに区分したときに、外側領域１１Ｌｏにスパイク鋲２１Ｌが配置されているが、内側領域１１Ｌｉにはスパイク鋲を配置されていない。
【００４８】
このような配置にしたのは、計測データを解析した結果、図４Ｃに示すように、ダウンスイングからフィニッシュにかけて左足には反時計回り（外側方向へ）に回転トルクが生じ、かつ、体重が幅方向内側から外側へ移動することで左足に大きなせん断力が生じ、この力を支持すべく左足の第二趾（人差指）の先端に大きな力がかかることとなるため、左足の第二趾先端に対応する部位にスパイク鋲２１Ｌを配置することにより、グリップ力と安定性を向上させることが可能となるからである。また、左足の第二趾先端に対応する部位にスパイク鋲２１Ｌを配置することにより、傾斜面にてスイングを行う際、インパクト後の捻転動作を制限することも可能となる。
【００４９】
以上のように、スイングの状態に応じて左右足の爪先部１１Ｒ、１１Ｌにかかる力に対応させて必要最小限のスパイク鋲を最適位置のみに配置することで、左右のシューズそれぞれの機能を高めることが可能となる。
【００５０】
＜＜＜本実施の形態に係るゴルフシューズ１の有効性について＞＞＞
上述したとおり、本実施形態に係るゴルフシューズ１は、シューズの靴底において第二中節骨に対応する部位にスパイク鋲を配置した。そして、このことにより、第二中節骨に対応する部位にかかる力に対応させてスパイク鋲を適切に配置でき、シューズの機能を高めることができる。特に、スイング動作がトップのときに第二中節骨には、最大の時計回りの回転トルクが生じるが、第二中節骨に対応させてスパイク鋲を配置することで、グリップ力や安定性を向上させることが可能となる。
【００５１】
また、本実施形態においては、左右のシューズ１Ｒ、１Ｌのうち、右足用シューズ１Ｒの靴底１０Ｒにおいて第二中節骨４２Ｒに対応する部位にスパイク鋲２９Ｒを配置し、左足用シューズ１Ｌの靴底１０Ｒにおいて第二中節骨４２Ｌに対応する部位にスパイク鋲を配置しないようにした。そして、このことにより、左右の足に加えられる力に応じてスパイク鋲を配置する又は配置しないことにより、左右のシューズそれぞれの機能を高めることができる。すなわち、第二中節骨４２Ｒに対応する部位にスパイク鋲２９Ｒを配置することで、スイング動作がトップのときに右足に生じた時計回り（外側方向へ）の回転トルクに対抗することができ、第二中節骨４２Ｒに対応する部位にかかる力を受け止めることができるため、グリップ力と安定性を向上させることが可能となる。また、左足の第二中節骨４２Ｌに対応する部位には力がかからず、スパイク鋲を配置する必要がないので、軽量化を図ることができる。
【００５２】
また、本実施形態においては、ゴルフシューズ１Ｒ、１Ｌの靴底１０Ｒ、１０Ｌにおいて、踵骨４３Ｒ、４３Ｌに対応する部位を、第一領域１３Ｒ１、１３Ｌ１と、第二領域１３Ｒ２、１３Ｌ２と、第三領域１３Ｒ３、１３Ｌ３と、第四領域１３Ｒ４、１３Ｌ４に区分したときに、第一領域１３Ｒ１、１３Ｌ１乃〜第三領域１３Ｒ３、１３Ｌ３にスパイク鋲２６Ｒ〜２８Ｒ、２６Ｌ〜２８Ｌを配置し、第四領域１３Ｒ４、１３Ｌ４にはスパイク鋲を配置しないようにした。そのため、左右の足に加えられる力に応じてスパイク鋲を配置する又は配置しないことにより、左右のシューズそれぞれの機能を高めることができる。すなわち、ダウンスイングのときに左足にかかる幅方向内側から外側へ向う力を受け止め、さらにフィニッシュのときに左足に生じる反時計回り（外側方向へ）の回転トルクに対抗することができ、かつ、体重が幅方向内側から外側へ移動することで踵部１３Ｌの第一領域１３Ｌ１〜第三領域１３Ｌ３にかかる力を受け止めることができるため、グリップ力と安定性を向上させることが可能となる。
【００５３】
また、本実施形態においては、右足用シューズ１Ｒの靴底１０Ｒにおいて、第一趾（親指）及び第二趾（人差指）の爪先に対応する部位を、内側領域１２Ｒｉと外側領域１２Ｒｏに区分したときに、内側領域１２Ｒｉにスパイク鋲２１Ｒを配置し、外側領域１２Ｒｏにはスパイク鋲を配置しないようにし、左足用シューズ１Ｌの靴底１０Ｌにおいて、第一趾及び第二趾の爪先に対応する部位を、内側領域１２Ｌｉと外側領域１２Ｌｏに区分したときに、外側領域１２Ｌｏにスパイク鋲２１Ｌを配置し、内側領域１２Ｌｉにはスパイク鋲を配置しないようにした。そのため、左右の足に加えられる力に応じてスパイク鋲を配置する又は配置しないことにより、左右のシューズそれぞれの機能を高めることができる。すなわち、右足用シューズ１Ｒにあっては、テイクバック、トップ、及びダウンスイングのときに右足に生じる回転トルクに対抗することができ、かつ、右足の第一趾（親指）先端にかかる垂直力を受け止めることができるため、グリップ力と安定性を向上させることが可能となる。また、左足用シューズ１Ｌにあっては、ダウンスイングからフィニッシュにかけて左足に生じる反時計回り（外側方向へ）の回転トルクに対抗することができ、かつ、体重が幅方向内側から外側へ移動することで左足にかかるせん断力を受け止めることができるため、グリップ力と安定性を向上させることが可能となる。
【００５４】
以上のとおり、このようにスパイク鋲を配置することよって、左右のシューズそれぞれに適したグリップ力や安定性を向上させることが可能となる。そして、アドレスからトップまでの体重移動をスムーズに移行させてエネルギーを蓄積させることができると共に、トップからフォローまでの激しい動きを伴う体重移動を支えつつ蓄積したエネルギーをロスなくゴルフボールに伝えることが可能となり、ひいては、ゴルフボールの飛距離をアップさせることが可能となる。
【００５５】
＝＝＝その他の実施の形態＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００５６】
＜スパイク鋲の配置＞
上記の実施形態においては、右足用シューズ１Ｒのみにスパイク鋲２９Ｒを設けたゴルフシューズ１を例に挙げて説明したが、これに限定されるものではない。すなわち、左右のシューズそれぞれの靴底において、第二中節骨に対応する部位にスパイク鋲を配置するようにしてもよい。
【００５７】
また、上記の実施形態においては、右利き用のゴルフシューズ１を例に挙げ、スパイク鋲の配置について説明したが、これに限定されるものではない。すなわち、上記の実施形態に係るスパイク鋲の配置は、左利き用のゴルフシューズ１にも適用することができる。なお、上記の実施形態に係るスパイク鋲の配置を左利き用のゴルフシューズ１に適用する場合には、図１に示すスパイク鋲の配置を左右反転させる必要がある。
【００５８】
また、上記の実施形態におけるスパイク鋲の配置は、図１に示すように、左右のシューズにおいて爪先部、踏み付け部、踵部の各部位にスパイク鋲をそれぞれ配置してなるものであるが、これに限定されるものではない。
【００５９】
たとえば、右足用シューズ１Ｒにおいてスパイク鋲を配置する場合、爪先部１１Ｒにおけるスパイク鋲の配置（図１参照）のみを採用し、踏み付け部１２Ｒや踵部１３Ｒにおけるスパイク鋲の配置を他の配置のものに変更してもよい。また、爪先部１１Ｒ及び踏み付け部１２Ｒにおけるスパイク鋲の配置（図１参照）のみを採用し、踵部１３Ｒにおけるスパイク鋲の配置を他の配置のものに変更してもよい。また、爪先部１１Ｒ及び踵部１３Ｒにおけるスパイク鋲の配置（図１参照）のみを採用し、踏み付け部１２Ｒにおけるスパイク鋲の配置を他の配置のものに変更してもよい。すなわち、スパイク鋲を配置する際に、グリップ力を高めたい部位（又は位置）に合わせて選択的に配置してもよい。
【００６０】
＜スパイク鋲＞
上記の実施形態においてスパイク鋲の配置について説明したが、このようにスパイク鋲を配置する際に、スパイク鋲の向きを当該スパイク鋲が受ける力の向きに合わせて配置するようにしてもよい。
【００６１】
具体的には、図５に示すとおり、加わる力の向き（図中の矢印方向）に沿うように、各スパイク鋲を配置する。この際、スパイク鋲の形状を、加わる力の向き（図中の矢印方向）に進むにつれて靴底１０Ｒから徐々に下方へ突出するように傾斜したテーパー形状にしてもよい。これにより、スパイク鋲は、加わる力を効率良く受け止めることができるため、グリップ力をさらに高めることが可能となる。
【００６２】
たとえば、スパイク鋲２９Ｒについては、図４Ａに示すように、テイクバックからトップにかけて右足に大きな回転力がかかり、また、図４Ｂに示すように、ダウンスイングのときに右足には前後方向後側に大きなせん断力がかかることにより、前後方向前側を１２時の方向とした場合に６時〜７時の方向にせん断力が作用する。よって、この方向に一致させてスパイク鋲２９Ｒを配置すると良い。
【００６３】
また、スパイク鋲２１Ｒについては、図４Ｂに示すように、トップからダウンスイングにかけて右足に大きな回転力がかかることにより、前後方向前側を１２時の方向とした場合に４時の方向にせん断力が作用する。よって、この方向に一致させてスパイク鋲２１Ｒを配置すると良い。
【００６４】
また、スパイク鋲２１Ｌについては、図４Ｃに示すように、ダウンスイングのときに左足には幅方向内側から外側へ向けて大きな力がかかり、さらにフィニッシュのときに左足に反時計回り（外側方向へ）に回転力がかかることにより、前後方向前側を１２時の方向とした場合に１０時〜１２時の方向にせん断力が作用する。よって、この方向に一致させてスパイク鋲２１Ｌを配置すると良い。
【００６５】
また、スパイク鋲２６Ｒ、２７Ｒ、２８Ｒそれぞれについては、図４Ａに示すように、テイクバックからトップにかけて右足に大きな回転力がかかることにより、前後方向前側を１２時の方向とした場合、４時〜５時の方向、１０時〜１１時の方向、１時〜２時の方向にせん断力が作用する。よって、この方向に一致させてスパイク鋲２６Ｒ、２７Ｒ、２８Ｒをそれぞれ配置すると良い。
【００６６】
また、スパイク鋲２６Ｌ、２７Ｌ、２８Ｌそれぞれについては、図４Ｃに示すように、ダウンスイングからフィニッシュにかけて左足に大きな回転力がかかることにより、前後方向前側を１２時の方向とした場合、４時〜５時の方向、７時〜８時の方向、８時〜１０時の方向にせん断力が作用する。よって、この方向に一致させてスパイク鋲２６Ｌ、２７Ｌ、２８Ｌをそれぞれ配置すると良い。
【符号の説明】
【００６７】
１    ゴルフシューズ、
１Ｒ  右足用シューズ、  １Ｌ  左足用シューズ、
１０Ｒ、１０Ｌ  靴底、
１１Ｒ、１１Ｌ  爪先部、
１２Ｒ、１２Ｌ  踏み付け部、
１２Ｒｉ、１２Ｌｉ  内側領域、
１２Ｒｏ、１２Ｌｏ  外側領域、
１３Ｒ、１３Ｌ  踵部、
１３Ｒ１、１３Ｌ１  第一領域、
１３Ｒ２、１３Ｌ２  第二領域、
１３Ｒ３、１３Ｌ３  第三領域、
１３Ｒ４、１３Ｌ４  第四領域、
２１Ｒ〜２９Ｒ、２１Ｌ〜２８Ｌ  スパイク鋲、
４２Ｒ、４２Ｌ  第二中節骨（人差指）、
４３Ｒ、４３Ｌ  踵骨
【図１】
0005785729.tif 000002
【図２】
0005785729.tif 000003
【図４】
0005785729.tif 000004
【図５】
0005785729.tif 000005
【図３】
0005785729.tif 000006